(57)【要約】【課題】除電器を用いずに、シート状物の細断屑が静電付着することを有効に防止する。【解決手段】シュレッダ筐体１と、このシュレッダ筐体１に設けられてシート状物Ｓが搬入される搬入経路２と、シュレッダ筐体１内の搬入経路２の途中に設けられ、当該搬入経路２に搬入されたシート状物Ｓを細断する細断機構３と、シュレッダ筐体１内の細断機構３の下方に設けられ、細断機構３にて細断された細断屑Ｓａを収容する屑入れ４と、シュレッダ筐体１内のうち屑入れ４の周辺に設けられる加湿器具５と、を備え、加湿器具５は、水Ｗが収容される容器６と、当該容器６の少なくとも一部に設けられ、当該容器６内の水Ｗを通さずに内部に滞留した湿気Ｊを外部に放出可能な透湿膜７と、を有する。【選択図】図１
2015134329.tif 000002
【特許請求の範囲】
【請求項１】
シュレッダ筐体と、
このシュレッダ筐体に設けられてシート状物が搬入される搬入経路と、
前記シュレッダ筐体内の前記搬入経路の途中に設けられ、当該搬入経路に搬入されたシート状物を細断する細断機構と、
前記シュレッダ筐体内の細断機構の下方に設けられ、前記細断機構にて細断された細断屑を収容する屑入れと、
前記シュレッダ筐体内のうち屑入れの周辺に設けられる加湿器具と、を備え、
前記加湿器具は、水が収容される容器と、当該容器の少なくとも一部に設けられ、当該容器内の水を通さずに内部に滞留した湿気を外部に放出可能な透湿膜と、を有することを特徴とするシュレッダ。
【請求項２】
請求項１に記載のシュレッダにおいて、
前記加湿器具は、前記シュレッダ筐体内に設けられる被取付部に取外し可能に取り付けられることを特徴とするシュレッダ。
【請求項３】
請求項１又は２に記載のシュレッダにおいて、
前記シュレッダ筐体は、前記屑入れの出入れが可能になるように開閉する扉を有し、
前記加湿器具は前記扉の内側に取り付けられることを特徴とするシュレッダ。
【請求項４】
請求項１又は２記載のシュレッダにおいて、
前記加湿器具は、前記屑入れの外面に取り付けられることを特徴とするシュレッダ。
【請求項５】
請求項１ないし４いずれかに記載のシュレッダにおいて、
前記加湿器具は、前記容器の下方に当該容器から漏れた水が受け止められる受け部材を有することを特徴とするシュレッダ。
【発明の詳細な説明】
【技術分野】
【０００１】
本発明は、用紙などのシート状物を細断するシュレッダに関する。
【背景技術】
【０００２】
従来におけるシュレッダとしては例えば特許文献１記載のものが既に提供されている。
特許文献１には、細断部と細断屑収容箱との中間部位置にイオン発生装置と空気吹出し器とからなる除電器を設け、イオン発生装置が発生したイオンを空気吹出し器から吹出した空気とともに、落下する帯電細断屑の落下通過域と下方の細断屑収容箱内に向けて照射して、このクーロン力により細断屑や細断屑袋や細断屑収容箱の電荷を中和除電するようにした文書細断機が開示されている。
【先行技術文献】
【特許文献】
【０００３】
【特許文献１】特許第４８１１６９６号公報（実施例，図１）
【発明の概要】
【発明が解決しようとする課題】
【０００４】
しかしながら、特許文献１記載の発明にあっては、イオン発生装置と空気吹出し器とからなる除電器を使用するため、装置構成が複雑化するばかりか、イオンを吹き出すための空気流によって細断部で細断された細断屑が細断屑収容箱から飛散し易いという懸念がある。
【０００５】
本発明が解決しようとする技術的課題は、除電器を用いずに、シート状物の細断屑が静電付着することを有効に防止することが可能なシュレッダを提供することにある。
【課題を解決するための手段】
【０００６】
請求項１に係る発明は、シュレッダ筐体と、このシュレッダ筐体に設けられてシート状物が搬入される搬入経路と、前記シュレッダ筐体内の前記搬入経路の途中に設けられ、当該搬入経路に搬入されたシート状物を細断する細断機構と、前記シュレッダ筐体内の細断機構の下方に設けられ、前記細断機構にて細断された細断屑を収容する屑入れと、前記シュレッダ筐体内のうち屑入れの周辺に設けられる加湿器具と、を備え、前記加湿器具は、水が収容される容器と、当該容器の少なくとも一部に設けられ、当該容器内の水を通さずに内部に滞留した湿気を外部に放出可能な透湿膜と、を有することを特徴とするシュレッダである。
【０００７】
請求項２に係る発明は、請求項１に係るシュレッダにおいて、前記加湿器具は、前記シュレッダ筐体内に設けられる被取付部に取外し可能に取り付けられることを特徴とするシュレッダである。
請求項３に係る発明は、請求項１又は２に係るシュレッダにおいて、前記シュレッダ筐体は、前記屑入れの出入れが可能になるように開閉する扉を有し、前記加湿器具は前記扉の内側に取り付けられることを特徴とするシュレッダである。
請求項４に係る発明は、請求項１又は２に係るシュレッダにおいて、前記加湿器具は、前記屑入れの外面に取り付けられることを特徴とするシュレッダである。
請求項５に係る発明は、請求項１ないし４いずれかに係るシュレッダにおいて、前記加湿器具は、前記容器の下方に当該容器から漏れた水が受け止められる受け部材を有することを特徴とするシュレッダである。
【発明の効果】
【０００８】
請求項１に係る発明によれば、除電器を用いずに、シート状物の細断屑が静電付着することを有効に防止することができる。
請求項２に係る発明によれば、本構成を有さない態様に比べて、加湿器具に対して水の注入作業を簡単に行うことができる。
請求項３に係る発明によれば、本構成を有さない態様に比べて、加湿器具に対して水の注入作業を広い作業スペースで実施することができる。
請求項４に係る発明によれば、本構成を有さない態様に比べて、シュレッダ筐体の内部に加湿器具の被取付部を設けずに、シュレッダ筐体内に加湿器具を設置することができる。
請求項５に係る発明によれば、本構成を有さない態様に比べて、加湿器具から水が漏れた場合であっても、漏れた水に対して効果的に対処することができる。
【図面の簡単な説明】
【０００９】
【図１】（ａ）は本発明が適用されたシュレッダの実施の形態の概要を示す説明図、（ｂ）は（ａ）に示す加湿器具の要部を示す説明図である。
【図２】実施の形態１に係るシュレッダの全体構成を示す説明図である。
【図３】（ａ）は実施の形態１に係るシュレッダの制御系を示す説明図、（ｂ）は同シュレッダの細断機構の駆動装置例を示す説明図である。
【図４】実施の形態１に係るシュレッダで用いられる加湿器具の設置例を示す説明図である。
【図５】（ａ）は図４に示す加湿器具の詳細を示す説明図、（ｂ）はその要部を示す説明図である。
【図６】電荷の空気中への漏洩と湿度の関係を示す説明図である。
【図７】（ａ）（ｂ）は加湿器具の他の設置例を示す説明図である。
【発明を実施するための形態】
【００１０】
◎実施の形態の概要
図１（ａ）は本発明が適用されたシュレッダの実施の形態の概要を示す説明図である。
同図において、シュレッダは、シュレッダ筐体１と、このシュレッダ筐体１に設けられてシート状物Ｓが搬入される搬入経路２と、シュレッダ筐体１内の搬入経路２の途中に設けられ、当該搬入経路２に搬入されたシート状物Ｓを細断する細断機構３と、シュレッダ筐体１内の細断機構３の下方に設けられ、細断機構３にて細断された細断屑Ｓａを収容する屑入れ４と、シュレッダ筐体１内のうち屑入れ４の周辺に設けられる加湿器具５と、を備え、加湿器具５は、水Ｗが収容される容器６と、当該容器６の少なくとも一部に設けられ、当該容器６内の水Ｗを通さずに内部に滞留した湿気Ｊを外部に放出可能な透湿膜７と、を有している。
【００１１】
このような技術的手段において、細断機構３としては、細断屑Ｓａを細かくするという観点からすれば、二方向に対して細断可能な機能を備えている態様が好ましく、複数のカッタ要素を組み合わせてもよいし、あるいは、一つのカッタ要素に二方向の細断機能を具備させる態様（所謂クロスカッタ）でもよい。
また、加湿器具５は容器６の少なくとも一部に透湿膜７を有していればよく、例えば図１（ｂ）に示すように、容器６の周壁の一部に開口６ａを設け、この開口６ａを塞ぐように透湿膜７を設けるようにした態様が代表的である。ここで、透湿膜７はポリウレタンなどの微多孔質膜構造を有するもので、当該微多孔質膜の細かい孔が水Ｗを通さない程度のものであればよい。
【００１２】
次に、本実施の形態の代表的態様又は好ましい態様について説明する。
先ず、加湿器具５の好ましい取付構造としては、加湿器具５がシュレッダ筐体１内に設けられる被取付部８に取外し可能に取り付けられる態様が挙げられる。
加湿器具５は固定的に設けていても差し支えないが、容器６への水Ｗの注入作業性を考慮すると、取り外し可能な構造を有するのが好ましい。このとき、容器６が一体型であれば容器６全体を取り外し可能にすればよいが、例えば分割型の容器６であれば少なくとも一部を取り外し可能とすればよい。また、加湿器具５の被取付部８は、加湿器具５を置く構造でもよいし、加湿器具５を引っ掛ける構造など適宜選定して差し支えない。
また、加湿器具５の別の好ましい取付構造としては、シュレッダ筐体１が屑入れ４の出入れが可能になるように開閉する扉を有するものであれば、加湿器具５が扉の内側に取り付けられる態様が挙げられる。
本態様では、加湿器具５に水Ｗを注入する場合には、扉を開放し、シュレッダ筐体１内の空間の外側の領域で水Ｗの注入作業をすることができる点で好ましい。
【００１３】
更に、加湿器具５の別の好ましい取付構造としては、加湿器具５が屑入れ４の外面に取り付けられる態様が挙げられる。
本態様は屑入れ４に加湿器具５を付属させることで、屑入れ４を出した際に加湿器具５に水Ｗを注入することが可能である。
更にまた、加湿器具５の別の好ましい態様としては、加湿器具５は容器６の下方に当該容器６から漏れた水Ｗが受け止められる受け部材（図示せず）を有する態様が挙げられる。
本態様は、加湿器具５の要素として容器６から水漏れが生じた場合に、受け部材で漏れた水Ｗを受け止めるようにしたものである。また、受け部材は受け止めた水Ｗをそのまま溜めてもよいし、あるいは、シュレッダ筐体１の底部に第２の受け部材（トレイ）を設置し、受け部材で受け止めた水Ｗを導水管を介して第２の受け部材に受け渡し、広範囲に亘って自然蒸発させるようにしてもよい。
【００１４】
以下、添付図面に示す実施の形態に基づいて本発明を更に詳細に説明する。
◎実施の形態１
図２は実施の形態１に係るシュレッダの全体構成を示す。
−シュレッダの全体構成−
同図において、シュレッダ２０は、略直方体形状のシュレッダ筐体２１を有し、このシュレッダ筐体２１の上面には細断するシート状物としての用紙Ｓが投入される投入口２２を開設し、この投入口２２には一対のガイドシュートで区画された搬入経路２３を設け、この搬入経路２３の途中に細断機構２４を配設し、シュレッダ筐体２１内の細断機構２４の下方には用紙Ｓの細断屑Ｓａが収容される屑入れ２７をシュレッダ筐体２１から出し入れ可能に配設したものである。尚、符号２１ａはシュレッダ筐体２１を開閉する扉、符号４０は屑入れ２７を載置して引出可能とするトレイである。
ここで、細断機構２４は、カッタ要素として対構成の刃付ドラム３１，３２が用いられるカットクロス方式を採用したもので、対構成の刃付ドラム３１，３２の噛み合い領域に用紙Ｓを挿通させることで、用紙Ｓの搬入方向に沿う方向（縦方向）及びこれに略直交する交差方向（横方向）について縦横同時に細断するようにしたものである。
【００１５】
また、本実施の形態において、符号５０は細断機構２４を駆動する駆動装置であり、この駆動装置５０は、図２及び図３（ａ）（ｂ）に示すように、駆動源としての駆動モータ５１と、この駆動モータ５１からの駆動力を細断機構２４の対構成の刃付ドラム３１，３２に伝達する駆動伝達機構５９とを有している。
本例において、駆動伝達機構５９としては、例えば駆動モータ５１の駆動軸及び第１の刃付ドラム３１の回転軸に夫々プーリ５９ａ，５９ｂを固着すると共に、これらプーリ５９ａ，５９ｂ間に伝達ベルト５９ｃを掛け渡し、更に、各対構成の刃付ドラム３１，３２の回転軸には伝達ギア５９ｄ，５９ｅを互いに噛合させた状態で固着するようにしたものである。
【００１６】
−制御装置−
更に、本実施の形態では、図３に示すように、細断機構２４を駆動する駆動装置５０は制御装置７０によって制御されるようになっている。
本例において、制御装置７０はＣＰＵ、ＲＡＭ、ＲＯＭ及び入出力ポートを含むマイクロコンピュータシステムからなり、操作パネル６０からの操作信号、搬入経路２３に用紙Ｓが搬入されたか否かを検出する位置センサ２８からの信号などを入出力ポートを介して受け取り、ＣＰＵ、ＲＡＭによってＲＯＭ内に予めインストールされている細断制御プログラムを実行し、入出力ポートを介して細断機構２４の駆動装置５０に対し所定の制御信号を送出するようになっている。
そして、本例では、操作パネル６０は、図３に示すように、シュレッダ２０に電源を投入するためのスタートスイッチ６１（図中ＳＴと表記）と、用紙Ｓが搬入経路２３で紙詰まりした場合に用紙Ｓを逆転排出する排出モードなどを指定するときにオン操作するモード選択スイッチ（図中ＭＳと表記）と、シュレッダ２０の動作状態を表示する表示器６３と、を有している。また、位置センサ２８は用紙Ｓが通過したことを検出可能な構成であれば、機械的、光学式センサなど適宜選定して差し支えない。尚、符号８０は駆動モータ５１に供給される駆動電流を検出する電流検出器であり、この電流検出器８０の電流値をモニタすることで細断機構２４に搬入される用紙Ｓの負荷を判断し、用紙Ｓの詰まりなどが判別可能になっている。
【００１７】
−加湿器具−
特に、本実施の形態では、シュレッダ筐体２１内に加湿器具１００が設置されている。
本例では、加湿器具１００は、図２及び図４に示すように、シュレッダ筐体２１の扉２１ａの内面に設けられる被取付部１１０に設置されている。
本例において、加湿器具１００は、図５（ａ）（ｂ）に示すように、水Ｗが収容可能な略直方体状の容器１０１を有し、この容器１０１の一側壁に開口１０２を設けると共に、この開口１０２を透湿膜１０３で塞ぐようにしたものである。尚、容器１０１の頂部には注入口１０４があり、この注入口１０４には開閉可能な蓋１０５が装着されている。
ここで、透湿膜１０３は、例えばポリウレタン等の樹脂素材を用い、これに水Ｗが通過不能な微多孔質膜構造を形成したものであり、これにより、水Ｗを通さずに逆に内部に滞留した湿気Ｊを外部に放出する機能を有するようになっている。具体例としては、例えば東京シンコール株式会社製のブリザテック（商品名）などが挙げられる。
また、扉２１ａに設けられた被取付部１１０は、図４及び図５（ａ）に示すように、加湿器具１００の容器１０１の底部が保持されるホルダ１１１を扉２１ａ内面に固定したものである。
本例では、ホルダ１１１は、容器１０１の底部が置かれる矩形状の底板１１２と、この底板１１２の３辺を取り囲む保持板１１３と、この保持板１１３の両側に張り出すように設けられる一対の取付片１１４と、を有し、扉２１ａの内面に一対の取付片１１４をネジ等の止め具１１５で固定することで取り付けられている。
【００１８】
本実施の形態では、シュレッダ２０の細断処理は以下のように実施される。
ユーザが操作パネル６０のスタートスイッチ６１をオン操作すると、駆動装置５０の駆動条件（例えば駆動モータ５１の駆動速度条件）を予め決められた所定のものに設定する。
この状態において、シュレッダ筐体２１の投入口２２に用紙Ｓが投入されると、当該用紙Ｓは搬入経路２３に沿って細断機構２４に向かって移動する。このとき、位置センサ２８は用紙Ｓが通過したことを検出すると、位置センサ２８による検出信号が制御装置７０に取り込まれ、これに連動して、駆動モータ５１が所定の駆動条件に従って細断機構２４の対構成の刃付ドラム３１，３２を駆動する。
本例では、用紙Ｓは対構成の刃付ドラム３１，３２の噛み合い領域を通過することで、縦横同時に細断され、細断屑Ｓａが屑入れ２７に向かって下方へと落下する。
【００１９】
このような細断処理においては、細断機構２４で細断された細断屑Ｓａは、細断機構２４のカッタ要素としての対構成の刃付ドラム３１，３２による細断時に摩擦帯電が起こり、これに伴って、細断屑Ｓａには静電気が生じ、落下中に周辺や屑入れ２７の壁面に付着し易い状況が起こる。
しかしながら、本実施の形態では、加湿器具１００は、容器１０１内の水Ｗが透湿膜１０３を介して湿気Ｊとしてシュレッダ筐体２１内に放出される作用を奏することから、シュレッダ筐体２１内の湿度環境は、加湿器具１００を設置しない場合に比べて、高湿環境に至る。例えば加湿器具１００を設置しない場合に、常温（例えば２０〜２５℃）で湿度４０％ＲＨ（Relative Humidityの略）であったものが、本実施の形態では、常温で湿度５０〜６０％ＲＨに至ることが実験的に確認されている。
このように、シュレッダ筐体２１内の湿度環境が高湿環境になると、例えば図６に示すように、帯電体表面の電荷密度が高い程、電荷は急速に空気中に放出され、表面電荷はある程度まで減衰する作用が見られる。
本例の加湿器具１００は、このような作用に着目して設置されたものであり、シュレッダ筐体２１内の湿度環境が高湿環境に至ることで、細断屑Ｓａの表面に水分を含ませ、細断屑Ｓａの表面導電率を高め、発生した静電気を除去するものである。
この結果、細断機構２４にて細断された細断屑Ｓａは、細断機構２４による細断時に摩擦帯電されるものの、高湿環境内にて落下することから、細断屑Ｓａに発生した静電気は空気中に放出され、静電気の少ない細断屑Ｓａが屑入れ２７へと向かう。このため、細断屑Ｓａが静電気によって周辺に付着したり、屑入れ２７の壁面に付着するという事態は有効に回避される。
【００２０】
また、加湿器具１００の容器１０１内の水Ｗが減少してきた場合には水Ｗを補給するようにすればよい。
このとき、加湿器具１００に水Ｗを補給する場合には、図４に示すように、ユーザはシュレッダ筐体２１の扉２１ａを開いた後、扉２１ａの被取付部１１０に設置されている加湿器具１００を取り外し、容器１０１の蓋１０５を開けて水Ｗを補給するようにすればよい。
【００２１】
また、本実施の形態において、加湿器具１００の設置例としては、図４に示す態様に限られるものではなく、以下に示す変形の形態１，２のように設置しても差し支えない。
◎変形の形態１
変形の形態１は、図７（ａ）に示すように、シュレッダ筐体２１の周壁２１ｂ（扉２１ａをも含む）の内面に被取付部１１０として受け皿状のホルダ１２０を取付け、このホルダ１２０に加湿器具１００を保持する一方、ホルダ１２０の底壁と屑入れ２７載置用のトレイ４０との間に連通管１２１を設けるようにしたものである。
本態様によれば、加湿器具１００の容器１０１から仮に水漏れが生じたとしても、漏れた水Ｗａは受け皿状のホルダ１２０で一旦受け止められた後、連通管１２１を通じてトレイ４０側に流れる。このため、漏れた水Ｗａはトレイ４０内の広範囲に広がり、適宜自然蒸発してシュレッダ筐体２１内を加湿する。
尚、本例においては、ホルダ１２０内に漏れた水Ｗａを連通管１２１を介してトレイ４０側に移動させているが、連通管１２１を設けずにホルダ１２０内に漏れた水Ｗａを溜めるようにしてもよい。
【００２２】
◎変形の形態２
変形の形態２は、図７（ｂ）に示すように、シュレッダ筐体２１内に引出可能に設置される屑入れ２７の周壁２７ａ外面に被取付部１１０としてのホルダ１３０を取付け、このホルダ１３０に加湿器具１００を保持するようにしたものである。
本態様によれば、加湿器具１００は屑入れ２７の周壁２７ａ外面に設置され、シュレッダ筐体２１内に湿気Ｊを放出する。また、屑入れ２７の細断屑Ｓａを処分する場合には、屑入れ２７を引き出すことになるが、屑入れ２７と共に加湿器具１００もシュレッダ筐体２１の外部に引き出されるので、細断屑Ｓａを処分する際に、加湿器具１００への水Ｗ補給を併せて実施することが可能である。
【符号の説明】
【００２３】
１…シュレッダ筐体，２…搬入経路，３…細断機構，４…屑入れ，５…加湿器具，６…容器，６ａ…開口，７…透湿膜，８…被取付部，Ｓ…シート状物，Ｓａ…細断屑，Ｗ…水，Ｊ…湿気
【図１】
2015134329.tif 000003
【図２】
2015134329.tif 000004
【図３】
2015134329.tif 000005
【図４】
2015134329.tif 000006
【図５】
2015134329.tif 000007
【図６】
2015134329.tif 000008
【図７】
2015134329.tif 000009